(57)【要約】      （修正有）【課題】スチールバーを高くし、且つ、床スラブの厚みまたは壁の厚みのレベルを指示する交差状装置を提供する。【解決手段】交差状の支持フレーム体２である主フレーム構造体は４つの側板２１，２２，２３，２４を含み、そのうちの少なくとも２つの隣接する側板２１，２２，２３，２４の各々には、その中にスチールバーを対応して敷設するための少なくとも１個の傾斜スロット３１，３２が設けられている。スチールバーを特定の高さの位置に敷設することができ、セメント注入中に床スラブ厚または壁厚のレベルを示す情報を作業者に提供することができる。また、スチールバー構造体が配列される方法、および、床スラブ厚または壁厚を確保することができ、スチールバーを高くし、且つ、床スラブの厚みまたは壁の厚みのレベルを指示する交差状装置は、テンプレートを設置するための固定装置としての役割を果たすことができ、構造体全体の施工精度が向上する。【選択図】図１
2018178693.tif 000002
【特許請求の範囲】
【請求項１】
床スラブまたは壁の施工のために提供される、スチールバーを高くし、且つ、床スラブの厚みまたは壁の厚みのレベルを指示する交差状装置であって、
交差状の支持フレーム体であり、且つ、４つの側板を有する主フレーム構造体を備え、
前記４つの側板のうちの少なくとも２つの隣接する側板の各々には、その中にスチールバーを対応して敷設するための少なくとも１個の傾斜スロットが設けられている
スチールバーを高くし、且つ、床スラブの厚みまたは壁の厚みのレベルを指示する交差状装置。
【請求項２】
前記４つの側板のうちの前記少なくとも２つの隣接する側板の各々には、２個の傾斜スロットが設けられていることを特徴とする
請求項１に記載のスチールバーを高くし、且つ、床スラブの厚みまたは壁の厚みのレベルを指示する交差状装置。
【請求項３】
前記４つの側板のうちの２つの隣接する側板の各々には、少なくとも１個の傾斜スロットが設けられていることを特徴とする
請求項１に記載のスチールバーを高くし、且つ、床スラブの厚みまたは壁の厚みのレベルを指示する交差状装置。
【請求項４】
前記４つの側板のうちの２つの隣接する側板の各々には、２個の傾斜スロットが設けられていることを特徴とする
請求項１に記載のスチールバーを高くし、且つ、床スラブの厚みまたは壁の厚みのレベルを指示する交差状装置。
【請求項５】
前記主フレーム構造体は、２つの端部に、それぞれナットが組み付けられていることを特徴とする
請求項１に記載のスチールバーを高くし、且つ、床スラブの厚みまたは壁の厚みのレベルを指示する交差状装置。
【請求項６】
前記主フレーム構造体は、２つの端部で、それぞれテンプレートと共に配置され、
前記テンプレートを所定位置に固定するために、ボルトが、前記ナットに、対応して確実に固定されていることを特徴とする
請求項５に記載のスチールバーを高くし、且つ、床スラブの厚みまたは壁の厚みのレベルを指示する交差状装置。
【請求項７】
前記主フレーム構造体は、一体構造であることを特徴とする
請求項１に記載のスチールバーを高くし、且つ、床スラブの厚みまたは壁の厚みのレベルを指示する交差状装置。
【請求項８】
前記主フレーム構造体は、１５ｃｍの高さを有することを特徴とする
請求項１に記載のスチールバーを高くし、且つ、床スラブの厚みまたは壁の厚みのレベルを指示する交差状装置。
【請求項９】
床スラブまたは壁の施工のために提供される、スチールバーを高くし、且つ、床スラブの厚みまたは壁の厚みのレベルを指示する交差状装置であって、
それぞれが交差状の支持フレーム体である第１の主フレーム構造体および第２の主フレーム構造体と、
前記第１の主フレーム構造体と前記第２の主フレーム構造体とを結合するために提供される結合要素と
を備え、
前記第１の主フレーム構造体および前記第２の主フレーム構造体の各々は、４つの側板を有し、前記４つの側板のうちの少なくとも２つの隣接する側板の各々には、その中にスチールバーを対応して敷設するための少なくとも１個の傾斜スロットが設けられている
スチールバーを高くし、且つ、床スラブの厚みまたは壁の厚みのレベルを指示する交差状装置。
【発明の詳細な説明】
【技術分野】
【０００１】
本発明は、スチールバーを高くし、且つ、床スラブの厚みまたは壁の厚みのレベルを指示する交差状装置に関し、より具体的には、セメント注入工事を補助するのに適するスチールバーを高くし、且つ、床スラブの厚みまたは壁の厚みのレベルを指示する交差状装置に関する。
【背景技術】
【０００２】
スチールバーは、床スラブ構造体にとって不可欠な材料である。スチールバーを特定の高さ位置に敷設するために、スチールバーを小石、レンガ、または、ブロック状の材料の間に介在させる等して、スチールバーを床またはテンプレートの所定距離上方で支持する。複数のブロック状の材料は、スチールバーの部分が確実に特定の高さに維持されるように、互いに離間して配置される。これにより、セメント注入後に、床スラブの全体厚は、スチールバーおよびテンプレートを介して構築され、スチールバーはセメントによって完全に包囲される。
【０００３】
それにもかかわらず、小石やレンガによって構築された高くされた構造には欠点がある。すなわち、第１に、スチールバーを特定の高さに正確に設置することは不可能であり、誤差が頻繁に発生する。第２に、小石またはレンガに直接スチールバーを敷設する場合、セメント注入による振動によりスチールバーが元の位置からずれることがあり、その結果、スチールバーが露出したり強度が不足したりする。第３に、床レベルを示すための明確な根拠を得ることは難しく、作業者は自分自身の経験や他の測定機器に従ってセメント注入を止める時を推測することしかできず、床スラブの厚さの誤差が容易に発生する。
【０００４】
このような問題を解決するために、従来のブロック状の材料とともにスチールバーを敷設する方法に代わる“スチールバーを高くし、且つ、床スラブの厚みまたは壁の厚みのレベルを指示する交差状装置”の研究と実験が行われ、
本発明の完成に至った。
【発明の概要】
【発明が解決しようとする課題】
【０００５】
本発明の目的は、スチールバーを高くし、且つ、床スラブの厚みまたは壁の厚みのレベルを指示する交差状装置を提供して、スチールバーを特定の高さ位置に敷設し、セメント注入中に作業者に床スラブ厚または壁厚のレベルを指示する情報を提供することである。このようにして、スチールバー構造体が配列される方法、および、床スラブ厚または壁厚を確保することができる。さらに、本発明は、テンプレートを配置する固定装置としての役割を果たすことができ、構造体全体の施工精度が向上する。
【課題を解決するための手段】
【０００６】
上述の目的を達成するために、スチールバーを高くし、且つ、床スラブの厚みまたは壁の厚みのレベルを指示する交差状装置は、床スラブまたは壁の施工のために提供されるものであり、交差状の支持フレーム体である主フレーム構造体を含む。主フレーム構造体は４つの側板を含み、そのうちの少なくとも２つの隣接する側板の各々には、その中にスチールバーを対応して敷設するための少なくとも１個の傾斜スロットが設けられている。
上述の設計により、本発明における４つの側板を有する交差状構造体では、傾斜スロットにスチールバーを敷設することができるので、作業者は、セメント注入中に、スチールバーが位置ずれして配置されたり傾いて配置されたりすることを気にする必要がなく、構造体全体の施工精度が向上する。
【０００７】
本発明によれば、４つの側板のうちの少なくとも２つの隣接する側板の各々には、２個の傾斜スロットが設けられていてもよい。このような構成では、２つの隣接する側板、３つの隣接する側板、または、４つの隣接する側板の各々に２個の傾斜スロットが設けられているため、その中にスチールバーをそれぞれ異なる向きで敷設することができる。このことは、床スラブまたは壁の構造の強度を高め、耐久性のある応力分布の目的を達成する。
【０００８】
また、本発明によれば、４つの側板のうちの２つの隣接する側板の各々には、少なくとも１個の傾斜スロットが設けられていてもよい。このような構成では、２つの隣接する側板の各々に少なくとも１個の傾斜スロットが設けられているため、その中にスチールバーをそれぞれ異なる向きで敷設することができる。このことは、床スラブまたは壁の構造の強度を高め、耐久性のある応力分布の目的を達成する。
【０００９】
更に、本発明によれば、４つの側板のうちの２つの隣接する側板の各々には、２個の傾斜スロットが設けられていてもよい。このような構成では、２つの隣接する側板の各々に２個の傾斜スロットが設けられているため、その中にスチールバーをそれぞれ異なる向きで敷設することができる。このことは、床スラブまたは壁の構造の強度を高め、耐久性のある応力分布の目的を達成する。
【００１０】
本発明によれば、主フレーム構造体は、２つの端部に、それぞれナットが組み付けられていてもよく、主フレーム構造体は、２つの端部で、それぞれテンプレートと共に配置されてもよく、テンプレートを所定位置に固定するために、ボルトが、ナットに、対応して確実に固定されていてもよい。これにより、本発明におけるスチールバーを高くし、且つ、床スラブの厚みまたは壁の厚みのレベルを指示する交差状装置は、床スラブ厚または壁厚を保証することができるだけではなく、テンプレートを設置するための固定装置としての役割を果たすことができ、作業者によるセメント注入を容易にする。
【００１１】
また、本発明によれば、主フレーム構造体は一体構造であり、すなわち、４つの側板が強固に互いに結合されているため、セメント注入中に分解や崩壊が起こらないように全体構造を強固にすることができ、スチールバーをセットアップ位置に効果的に維持することができる。
【００１２】
更に、本発明によれば、主フレーム構造体は、１５ｃｍの高さを有していてもよい。これにより、本発明によれば、レベル指示の機能により、床スラブ厚または壁厚が効果的に１５ｃｍに制限され、セメント注入後の構造強度が確保される。
【００１３】
本発明の他の目的、利点および新規な特徴は、添付の図面と併せて以下の詳細な説明から明らかになるであろう。
【図面の簡単な説明】
【００１４】
【図１】図１は、本発明の第１の実施形態におけるスチールバーを高くし、且つ、床スラブの厚みまたは壁の厚みのレベルを指示する交差状装置を示す斜視図である。
【図２】図２は、本発明の第２の実施形態におけるスチールバーを高くし、且つ、床スラブの厚みまたは壁の厚みのレベルを指示する交差状装置を示す斜視図である。
【図３】図３は、本発明の第３の実施形態におけるスチールバーを高くし、且つ、床スラブの厚みまたは壁の厚みのレベルを指示する交差状装置を示す斜視図である。
【図４】図４は、本発明の第１の実施形態におけるスチールバーを高くし、且つ、床スラブの厚みまたは壁の厚みのレベルを指示する交差状装置を、床スラブスチールバーと共に示す分解図である。
【図５】図５は、床スラブスチールバーが組み付けられた、本発明の第１の実施形態におけるスチールバーを高くし、且つ、床スラブの厚みまたは壁の厚みのレベルを指示する交差状装置を示す斜視図である。
【図６】図６は、壁スチールバーが組み付けられた、本発明の第１の実施形態におけるスチールバーを高くし、且つ、床スラブの厚みまたは壁の厚みのレベルを指示する交差状装置を示す斜視図である。
【発明を実施するための形態】
【００１５】
図１の本発明の第１の実施形態におけるスチールバーを高くし、且つ、床スラブの厚みまたは壁の厚みのレベルを指示する交差状装置を示す斜視図を参照して、スチールバーを高くし、且つ、床スラブの厚みまたは壁の厚みのレベルを指示する交差状装置１は、床スラブまたは壁の施工のために採用され、主フレーム構造体２と、主フレーム構造体２の２つの端部にそれぞれ組み付けられたナット５１、５２とを備える。第１の実施形態では、主フレーム構造体２は、４つの側板２１、２２、２３、２４を含む交差状の支持フレーム体であり、４つの側板２１、２２、２３、２４は、１つの部品として一体的に作られている。すなわち、４つの側板２１、２２、２３、２４は、強固に互いに結合され、セメント注入中に分解や崩壊が起こらないように全体構造が強固にされ、スチールバーがセットアップ位置に効果的に維持される。
【００１６】
更に、第１の実施形態では、４つの側板２１、２２、２３、２４のうちの隣接する２つの側板２１、２２の各々には、スチールバーを対応して支持するための２個の傾斜スロット３１、３２が設けられている。すなわち、このような構造では、隣接する２つの側板２１、２２の各々に２個の傾斜スロット３１、３２が設けられており、当該スロット内に異なる向きのスチールバーが敷設される。このことにより、床スラブまたは壁の構造の強度が向上し、耐久性のある応力分布の目的が達成される。
【００１７】
ここで、図２の本発明の第２の実施形態におけるスチールバーを高くし、且つ、床スラブの厚みまたは壁の厚みのレベルを指示する交差状装置を示す斜視図を参照して、スチールバーを高くし、且つ、床スラブの厚みまたは壁の厚みのレベルを指示する交差状装置１１は、床スラブまたは壁の施工のために採用され、第１の主フレーム構造体２ａと、第２の主フレーム構造体２ｂと、第１の主フレーム構造体２ａの２つの端部にそれぞれ組み付けられたナット５１、５３と、第２の主フレーム構造体２ｂの２つの端部にそれぞれ組み付けられたナット５２、５４と、を備える。第２の実施形態では、第１の主フレーム構造体２ａおよび第２の主フレーム構造体２ｂの各々は、交差状の支持フレーム体である。第１の主フレーム構造体２ａは、４つの側板２１ａ、２２ａ、２３ａ、２４ａを含み、他方、第２の主フレーム構造体２ｂは、４つの側板２１ｂ、２２ｂ、２３ｂ、２４ｂを含む。４つの側板２１ａ、２２ａ、２３ａ、２４ａおよび４つの側板２１ｂ、２２ｂ、２３ｂ、２４ｂの各々は、１つの部品として一体的に作られている。第２の実施形態では、主フレーム構造体が第１の主フレーム構造体２ａと第２の主フレーム構造体２ｂとに分離されるとの特徴を有し、主フレーム構造体の高さ寸法を調整可能であり、オプションとして、床スラブまたは壁の様々な厚さに対する要求を満たすことができる。すなわち、第１の主フレーム構造体２ａのナット５３と第２の主フレーム構造体２ｂのナット５４との間には、それらの間の連結要素として種々の長さのねじ７３をオプションとして採用することができ、主フレーム構造体の高さの違いを生じる。また、第２の実施形態では、４つの側板２１ａ、２２ａ、２３ａ、２４ａのうちの隣接する２つの側板２１ａ、２２ａの各々に、スチールバーを対応して支持するための傾斜スロット３１、３２が設けられている。さらに、４つの側板２１ｂ、２２ｂ、２３ｂ、２４ｂのうちの隣接する２つの側板２１ｂ、２２ｂの各々に、スチールバーを対応して支持するための傾斜スロット３１、３２が設けられている。すなわち、このような構造では、隣接する２つの側板２１ａ、２２ａ、２１ｂ、２２ｂの各々に傾斜スロット３１、３２が設けられており、当該スロット内に異なる向きのスチールバーが敷設される。このことにより、床スラブまたは壁の構造の強度が向上し、耐久性のある応力分布の目的が達成される。
【００１８】
また、図３の本発明の第３の実施形態におけるスチールバーを高くし、且つ、床スラブの厚みまたは壁の厚みのレベルを指示する交差状装置を示す斜視図を参照して、第３の実施形態では、スチールバーを高くし、且つ、床スラブの厚みまたは壁の厚みのレベルを指示する交差状装置１０は、主フレーム構造体２０と、主フレーム構造体２０の２つの端部にそれぞれ組み付けられたナット５１０、５２０とを備える。第３の実施形態では、主フレーム構造体２０は、４つの側板２１０、２２０、２３０、２４０を含み、３つの隣接する側板（図示されず）または４つの隣接する側板（第３の実施形態のように）の各々には、２個の傾斜スロットが設けられており、２つの隣接する側板２１、２２のみに傾斜スロット３１、３２が設けられた第１の実施形態とは異なっている。図示されているように、代表的には、第３の実施形態では、全ての４つの側板２１０、２２０、２３０、２４０の各々には、２個の傾斜スロット３１０、３２０、３３０、３４０が設けられており、スチールバーを敷設するためのより多くのオプションが提供される。このことは、スチールバー施工の自由度を高めることに役立ち、全体構造の強度を強化することにも役立つ。
【００１９】
更に、図４の本発明の第１の実施形態におけるスチールバーを高くし、且つ、床スラブの厚みまたは壁の厚みのレベルを指示する交差状装置を、床スラブスチールバーと共に示す分解図、および、図５の床スラブスチールバーが組み付けられたスチールバーを高くし、且つ、床スラブの厚みまたは壁の厚みのレベルを指示する交差状装置を示す斜視図が参照される。スチールバーを高くし、且つ、床スラブの厚みまたは壁の厚みのレベルを指示する交差状装置１は、床スラブの施工のために採用され、傾斜スロット３１が、側板２１の上部および下部にそれぞれ配置され、当該傾斜スロット３１には縦方向のスチールバー４１が配置される。加えて、傾斜スロット３２が、側板２２の上部および下部にそれぞれ配置され、当該傾斜スロット３２には横方向のスチールバー４２が配置される。第１の実施形態では、スチールバーを高くし、且つ、床スラブの厚みまたは壁の厚みのレベルを指示する交差状装置１は、二層のスチールバー４１、４２を支持することができ、後続のセメント注入作業を容易にする。主フレーム構造体２は１５ｃｍの高さを有し、主フレーム構造体２の頂部と上層のスチールバーとの間には３ｃｍの保護間隔が確保されている。同様に、主フレーム構造体２の底部から下層のスチールバーまでには３ｃｍの保護間隔が確保されている。これにより、床スラブの構造強度を確保することができるだけでなく、スチールバーの露出や表面クラックを回避することができる。
【００２０】
図６の壁スチールバーが組み付けられた、本発明の第１の実施形態におけるスチールバーを高くし、且つ、床スラブの厚みまたは壁の厚みのレベルを指示する交差状装置を示す斜視図を参照して、スチールバーを高くし、且つ、床スラブの厚みまたは壁の厚みのレベルを指示する交差状装置１は、壁の施工のために採用され、傾斜スロット３１が、側板２１の前部および後部にそれぞれ配置され、当該傾斜スロット３１には縦方向のスチールバー４１が配置される。加えて、傾斜スロット３２が、側板２２の前部および後部にそれぞれ配置され、当該傾斜スロット３２には横方向のスチールバー４２が配置される。第１の実施形態では、スチールバーを高くし、且つ、床スラブの厚みまたは壁の厚みのレベルを指示する交差状装置１は、二層のスチールバー４１、４２を支持することができ、後続のセメント注入作業を容易にする。主フレーム構造体２は、２つの端部にそれぞれテンプレート６１、６２が配置され、ボルト７１、７２が締結ナット８１、８２、固定体９１、９２、および、テンプレート６１、６２を順番に通過し、最終的にナット５１、５２にしっかりと固定される。これにより、スチールバーを高くし、且つ、床スラブの厚みまたは壁の厚みのレベルを指示する交差状装置１は、テンプレート６１、６２を所定位置に固定するのを助けることができるだけでなく、作業者によるその後のセメント注入を容易にすることができる。
【００２１】
上述の設計構造により、スチールバー４１、４２を所定位置に均一に高くすることができ、スチールバー構造を配列する方法が確保され、セメント注入中にスチールバーが位置ずれして配置されたり傾いて配置されたりする懸念がない。また、主フレーム構造体２は、それ自身の高さを有し、床スラブ厚または壁厚の指示レベルとなる。こうして、作業者は、スチールバーを高くし、且つ、床スラブの厚みまたは壁の厚みのレベルを指示する交差状装置１の主フレーム構造体の高さに応じて、セメント注入をいつ停止すべきかについて知ることができ、床スラブまたは壁の寸法についての要求厚さを達成し、構造全体の構造精度を向上させることができる。加えて、ナット５１、５２とボルト７１、７２との間の対応関係により、テンプレート６１、６２に追加の締結機能を持たせることができ、壁の精度および平坦度をコントロールするために十分な支持強度を確保することができる。
【００２２】
本発明は、その好ましい実施形態に関連して説明されたが、以下に請求される本発明の範囲から逸脱することなく他の多くの可能な修正および変形が可能であることが理解されるべきである。
【符号の説明】
【００２３】
１、１０，１１    スチールバーを高くし、且つ、床スラブの厚みまたは壁の厚みのレベルを指示する交差状装置
２、２０          主フレーム構造体
２ａ              第１の主フレーム構造体
２ｂ              第２の主フレーム構造体
２１、２２、２３、２４、２１０、２２０、２３０、２４０                側板
２１ａ、２２ａ、２３ａ、２４ａ、２１ｂ、２２ｂ、２３ｂ、２４ｂ        側板
３１，３２、３１０、３２０、３３０、３４０        傾斜スロット
４１              縦方向のスチールバー
４２              横方向のスチールバー
５１、５２、５３、５４，５１０、５２０        ナット
６１，６２        テンプレート
７１，７２        ボルト
７３              ねじ
８１，８２        締結ナット
９１，９２        固定体
【図１】
2018178693.tif 000003
【図２】
2018178693.tif 000004
【図３】
2018178693.tif 000005
【図４】
2018178693.tif 000006
【図５】
2018178693.tif 000007
【図６】
2018178693.tif 000008